(57)【要約】【課題】印刷ジョブの一部の印刷データのみを利用することを可能にする印刷システム、印刷方法及びプログラムを提供する。【解決手段】本発明の印刷システムは、印刷対象データと、当該印刷対象データの印刷設定とを含む印刷ジョブの印刷対象データから、印刷する印刷対象データを表す指定データを指定する指定部と、当該印刷ジョブから、指定データと、指定データに適用する印刷設定を表す部分印刷設定とを抽出する部分抽出部と、当該指定データと、当該部分印刷設定とを含む印刷ジョブを新しく生成するジョブ生成部と、生成された当該印刷ジョブに基づいて、画像を印刷する印刷部とを備える。【選択図】図１
2014085856.tif 000002
【特許請求の範囲】
【請求項１】
印刷対象データと、前記印刷対象データの印刷設定とを含む印刷ジョブの前記印刷対象データから、印刷する前記印刷対象データを表す指定データを指定する指定部と、
前記印刷ジョブから、前記指定データと、前記指定データに適用する前記印刷設定を表す部分印刷設定とを抽出する部分抽出部と、
前記指定データと、前記部分印刷設定とを含む印刷ジョブを新しく生成するジョブ生成部と、
生成された前記印刷ジョブに基づいて、画像を印刷する印刷部と
を備える印刷システム。
【請求項２】
前記指定部は、更に、前記指定データに適用する印刷設定を指定し、
指定された前記印刷設定に基づいて、前記部分印刷設定を編集する編集部を更に備え、
前記ジョブ生成部は、編集された前記部分印刷設定と、前記指定データとを含む印刷ジョブを新しく生成する
請求項１に記載の印刷システム。
【請求項３】
指定部が、印刷対象データと、前記印刷対象データの印刷設定とを含む印刷ジョブの前記印刷対象データから、印刷する前記印刷対象データを表す指定データを指定するステップと、
部分抽出部が、前記印刷ジョブから、前記指定データと、前記指定データに適用する前記印刷設定を表す部分印刷設定とを抽出するステップと、
ジョブ生成部が、前記指定データと、前記部分印刷設定とを含む印刷ジョブを新しく生成するステップと、
印刷部が、生成された前記印刷ジョブに基づいて、画像を印刷するステップと
を含む印刷方法。
【請求項４】
コンピュータを、
印刷対象データと、前記印刷対象データの印刷設定とを含む印刷ジョブの前記印刷対象データから、印刷する前記印刷対象データを表す指定データを指定する指定部と、
前記印刷ジョブから、前記指定データと、前記指定データに適用する前記印刷設定を表す部分印刷設定とを抽出する部分抽出部と、
前記指定データと、前記部分印刷設定とを含む印刷ジョブを新しく生成するジョブ生成部と、
印刷部が、生成された前記印刷ジョブに基づいて、画像を印刷するステップと
して機能させるためのプログラム。
【発明の詳細な説明】
【技術分野】
【０００１】
本発明は、印刷システム、印刷方法及びプログラムに関する。
【背景技術】
【０００２】
ＰＣ（Ｐｅｒｓｏｎａｌ  Ｃｏｍｐｕｔｅｒ）等の情報処理装置から、プリンタ、及び複合機等の画像形成装置に、印刷対象データ、及び当該印刷対象データの印刷設定（以下「印刷データ」という。）を送信する印刷システムが知られている。印刷対象データは、文書データや画像データ等である。印刷設定は、印刷カラー設定（モノクロ又はカラー）、及び印刷品質等の設定である。
【０００３】
一般に、印刷システムは、画像形成装置に入稿する印刷データを、印刷ジョブとして管理する。また、当該印刷ジョブを、印刷対象データの名称や、当該印刷対象データを印刷した際の印刷設定等を含む印刷履歴として表示する機能が知られている。また、当該印刷ジョブの編集機能、及び出力機能等が知られている。
【０００４】
印刷ジョブに関する技術としては、特許文献１が知られている。特許文献１には、画像制御装置が、大量のページを含む印刷ジョブに応じて画像を印刷した後に、当該印刷ジョブ内にある複数の箇所のページを再印刷するときに、他の印刷ジョブに影響を与えることなく、効率よく再印刷することができる印刷制御装置の発明が開示されている。
【発明の概要】
【発明が解決しようとする課題】
【０００５】
しかしながら、従来の印刷システムは、印刷ジョブの一部の印刷データのみを利用する場合であっても、印刷ジョブの全ての印刷データを抽出していた。そのため、印刷ジョブの一部の印刷データのみを利用する場合でも、印刷データのサイズが大きい場合には、印刷ジョブの実行に時間がかかっていた。
【０００６】
本発明は、上記に鑑みてなされたものであって、印刷ジョブの一部の印刷データのみを利用することを可能にする印刷システム、印刷方法及びプログラムを提供することを目的とする。
【課題を解決するための手段】
【０００７】
上述した課題を解決し、目的を達成するために、本発明の印刷システムは、印刷対象データと、前記印刷対象データの印刷設定とを含む印刷ジョブの前記印刷対象データから、印刷する前記印刷対象データを表す指定データを指定する指定部と、前記印刷ジョブから、前記指定データと、前記指定データに適用する前記印刷設定を表す部分印刷設定とを抽出する部分抽出部と、前記指定データと、前記部分印刷設定とを含む印刷ジョブを新しく生成するジョブ生成部と、生成された前記印刷ジョブに基づいて、画像を印刷する印刷部とを備える。
【０００８】
また、本発明の印刷方法は、指定部が、印刷対象データと、前記印刷対象データの印刷設定とを含む印刷ジョブの前記印刷対象データから、印刷する前記印刷対象データを表す指定データを指定するステップと、部分抽出部が、前記印刷ジョブから、前記指定データと、前記指定データに適用する前記印刷設定を表す部分印刷設定とを抽出するステップと、ジョブ生成部が、前記指定データと、前記部分印刷設定とを含む印刷ジョブを新しく生成するステップと、印刷部が、生成された前記印刷ジョブに基づいて、画像を印刷するステップとを含む。
【０００９】
また、本発明のプログラムは、コンピュータを、印刷対象データと、前記印刷対象データの印刷設定とを含む印刷ジョブの前記印刷対象データから、印刷する前記印刷対象データを表す指定データを指定する指定部と、前記印刷ジョブから、前記指定データと、前記指定データに適用する前記印刷設定を表す部分印刷設定とを抽出する部分抽出部と、前記指定データと、前記部分印刷設定とを含む印刷ジョブを新しく生成するジョブ生成部と、印刷部が、生成された前記印刷ジョブに基づいて、画像を印刷するステップとして機能させる。
【発明の効果】
【００１０】
本発明によれば、印刷ジョブの一部の印刷データのみを利用することを可能にする印刷システム、印刷方法及びプログラムを提供することができるという効果を奏する。
【図面の簡単な説明】
【００１１】
【図１】図１は、本実施の形態の印刷システムの機能ブロックの一例を示すブロック図である。
【図２】図２は、本実施の形態の印刷システムの印刷ジョブに含まれる印刷データの一例を示す図である。
【図３】図３は、本実施の形態の印刷システムの印刷データの全体印刷設定の一例を示す図である。
【図４】図４は、本実施の形態の印刷システムの印刷データの部分印刷設定の一例を示す図である。
【図５】図５は、本実施の形態の印刷システムの印刷データ抽出部の機能ブロックの一例を示すブロック図である。
【図６】図６は、本実施の形態の印刷システムの抽出部及び部分抽出部の動作方法の一例を説明するための図である。
【図７】図７は、本実施の形態の印刷システムの印刷方法の一例を説明するためのフローチャートである。
【図８】図８は、本実施の形態の印刷システムのハードウェア構成の一例を示す図である。
【発明を実施するための形態】
【００１２】
以下に添付図面を参照して、印刷システム、印刷方法及びプログラムの実施の形態を詳細に説明する。
【００１３】
図１は、本実施の形態の印刷システム１の機能ブロックの一例を示すブロック図である。本実施の形態の印刷システム１は、指定部２、印刷データ抽出部３、編集部４、ジョブ生成部５、及び印刷部６を備える。
【００１４】
図２は、本実施の形態の印刷システム１の印刷ジョブに含まれる印刷データ１０の一例を示す図である。印刷データ１０は、印刷対象データ１１、及び印刷設定１２を有する。印刷設定１２は、全体印刷設定１３、及び部分印刷設定１４を有する。
【００１５】
まず、本実施の形態の印刷システム１の印刷ジョブに含まれる印刷データ１０について説明する。印刷対象データ１１は、印刷部６により印刷されるデータである。印刷設定１２は、印刷部６が印刷対象データ１１を印刷する際に適用する設定である。印刷設定１２は、例えば、印刷カラー設定（モノクロ又はカラー）、及び印刷品質等の設定である。
【００１６】
全体印刷設定１３は、印刷対象データ１１の全ての範囲に適用される設定である。図３は、本実施の形態の印刷システム１の印刷データ１０の全体印刷設定１３の一例を示す図である。図３の全体印刷設定１３の例では、部ごとに仕分けして排紙するソート、印刷部数が１００部、カラー印刷、及び印刷する用紙サイズがＡ４の設定がされている。
【００１７】
部分印刷設定１４は、印刷対象データ１１の一部の範囲に適用される設定である。図４は、本実施の形態の印刷システム１の印刷データ１０の部分印刷設定１４の一例を示す図である。図４の部分印刷設定１４の例では、印刷対象データ１１の第１章に有効な印刷設定として、印刷物の左２ヶ所にステーブルを行う設定がされている。また、印刷対象データ１１の第２章に有効な印刷設定として、印刷用紙に、印刷対象データ１１を２アップする設定がされている。
【００１８】
図１に戻り、指定部２は、印刷システム１のユーザからの入力に基づいて、印刷対象データ１１と、当該印刷対象データ１１の印刷設定１２とを含む印刷ジョブの印刷対象データ１１から、印刷する印刷対象データ１１（以下「指定データ」という。）を指定する。なお、指定部２は、印刷システム１のユーザからの入力に基づいて、指定データの指定と同時に、指定データの印刷時に適用される設定を指定してもよい。
【００１９】
印刷データ抽出部３は、印刷ジョブの印刷データ１０からデータを抽出する。図５は、本実施の形態の印刷システム１の印刷データ抽出部３の機能ブロックの一例を示すブロック図である。印刷データ抽出部３は、抽出部７、及び部分抽出部８を備える。図６は、本実施の形態の印刷システム１の抽出部７及び部分抽出部８の動作方法の一例を説明するための図である。
【００２０】
抽出部７は、印刷データ１０から、印刷設定１２、及び印刷対象データ１１を抽出する。部分抽出部８は、印刷データ１０から、部分印刷設定１４、及び印刷対象データページリスト（指定データ）１５を抽出する。
【００２１】
図１に戻り、編集部４は、指定部２により、指定データの指定と同時に、指定データの印刷時に適用される設定が指定されている場合に、印刷データ抽出部３により抽出されたデータを、当該指定に基づいて編集する。
【００２２】
ジョブ生成部５は、部分抽出部８により抽出されたデータ（部分印刷設定１４、及び印刷対象データページリスト（指定データ）１５）を含む印刷ジョブを新しく生成する。
【００２３】
これにより、印刷ジョブの印刷データ１０のデータサイズを縮小することができ、印刷ジョブのキューイングに使用されるメモリ容量の削減や、印刷ジョブの処理時間を短縮することができる。
【００２４】
なお、抽出部７により抽出されたデータ（印刷設定１２、及び印刷対象データ１１）の印刷ジョブについては、既存の印刷ジョブを流用してもよい。抽出部７により抽出されたデータと、抽出元の印刷ジョブの印刷データ１０のデータサイズは同一であるからである。
【００２５】
印刷部６は、印刷ジョブの印刷データ１０に基づいて、画像を印刷する。
【００２６】
図７は、本実施の形態の印刷システム１の印刷方法の一例を説明するためのフローチャートである。指定部２は、印刷システム１のユーザからの入力に基づいて、印刷対象データ１１と、当該印刷対象データ１１の印刷設定１２とを含む印刷ジョブの印刷対象データ１１から、指定データを指定する（ステップＳ１）。
【００２７】
なお、ステップＳ１で、指定部２は、印刷システム１のユーザからの入力に基づいて、指定データの指定と同時に、指定データの印刷時に適用される設定を指定してもよい。
【００２８】
印刷データ抽出部３は、当該指定データが、印刷対象データ１１の一部であるか否かを判定する（ステップＳ２）。印刷対象データ１１の一部のデータである場合（ステップＳ２、Ｙｅｓ）は、部分抽出部８によりデータを抽出する（ステップＳ３）。印刷対象データ１１の全てのデータである場合（ステップＳ２、Ｎｏ）は、抽出部７によりデータを抽出する（ステップＳ４）。
【００２９】
編集部４は、指定部２が、指定データの指定と同時に、指定データの印刷時に適用される設定を指定しているか否かを判定する（ステップＳ５）。指定データの印刷時に適用される設定を指定している場合（ステップＳ５、Ｙｅｓ）は、編集部４は、当該指定に応じて、印刷データ抽出部３により抽出されたデータを編集する（ステップＳ６）。指定データの印刷時に適用される設定を指定されていない場合（ステップＳ５、Ｎｏ）は、ステップＳ７に進む。
【００３０】
ジョブ生成部５は、部分抽出部８により抽出されたデータ（部分印刷設定１４、及び印刷対象データページリスト（指定データ）１５）を含む印刷ジョブを新しく生成する（ステップＳ７）。なお、抽出部７により抽出されたデータ（印刷設定１２、及び印刷対象データ１１）の印刷ジョブについては、既存の印刷ジョブを流用してもよいし、新しく印刷ジョブを生成してもよい。
【００３１】
印刷部６は、印刷ジョブの印刷データ１０に基づいて、画像を印刷する（ステップＳ８）。
【００３２】
次に、本実施の形態の印刷システム１のハードウェア構成について説明する。図８は、本実施の形態の印刷システム１のハードウェア構成の一例を示す図である。本実施の形態の印刷システム１のハードウェアは、情報処理装置２０、及び画像形成装置３０を備える。
【００３３】
情報処理装置２０は、制御部２１、主記憶装置２２、補助記憶装置２３、表示装置２４、入力装置２５、及び通信Ｉ／Ｆ２６を備える。制御部２１、主記憶装置２２、補助記憶装置２３、表示装置２４、入力装置２５、及び通信Ｉ／Ｆ２６は、バス２７を介して接続されている。
【００３４】
画像形成装置３０は、プリンタコントローラ３１、プリンタエンジン３９、及び操作パネル４０を含む。プリンタコントローラ３１は、制御部３２、主記憶装置３３、通信Ｉ／Ｆ３４、補助記憶装置３５、プリンタエンジンＩ／Ｆ３６、及びパネルＩ／Ｆ３７を備える。制御部３２、主記憶装置３３、通信Ｉ／Ｆ３４、補助記憶装置３５、プリンタエンジンＩ／Ｆ３６、及びパネルＩ／Ｆ３７は、バス３８を介して接続されている。
【００３５】
情報処理装置２０と、画像形成装置３０は、通信Ｉ／Ｆ２６と通信Ｉ／Ｆ３４により、ネットワーク５０を介して接続されている。なお、通信Ｉ／Ｆ２６の通信方式は、有線であっても無線であってもよい。同様に、通信Ｉ／Ｆ３４の通信方式は、有線であっても無線であってもよい。
【００３６】
まず、情報処理装置２０のハードウェア構成について説明する。制御部２１は、補助記憶装置２３から主記憶装置２２に展開されたプログラムを実行する。主記憶装置２２は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等である。補助記憶装置２３は、ＨＤＤ（Ｈａｒｄ  Ｄｉｓｋ  Ｄｒｉｖｅ）や光学ドライブ等である。表示装置２４は、液晶ディスプレイ等である。入力装置２５は、キーボードやマウス等である。通信Ｉ／Ｆ２６は、ネットワーク５０に接続するためのインタフェースである。
【００３７】
次に、画像形成装置３０のハードウェア構成について説明する。制御部３２は、補助記憶装置３５から主記憶装置３３に展開されたプログラムを実行する。主記憶装置３３は、ＲＯＭやＲＡＭ等である。補助記憶装置３５は、ＨＤＤ（Ｈａｒｄ  Ｄｉｓｋ  Ｄｒｉｖｅ）や光学ドライブ等である。通信Ｉ／Ｆ３４は、ネットワーク５０に接続するためのインタフェースである。
【００３８】
パネルＩ／Ｆ３７は、プリンタコントローラ３１と操作パネル４０との間のインタフェースである。操作パネル４０は、ユーザが画像形成装置３０を設定するための液晶パネル等である。プリンタエンジンＩ／Ｆ３６は、プリンタコントローラ３１とプリンタエンジン３９との間のインタフェースである。プリンタエンジン３９は、プリンタコントローラ３１からの画像印刷指示に基づいて、画像を印刷する。
【００３９】
ここで、本実施の形態の印刷システム１の機能ブロックと、ハードウェア構成の対応について説明する。上述の指定部２、印刷データ抽出部３、編集部４、及びジョブ生成部５は、ソフトウェアとして実現してもよい。すなわち、指定部２、印刷データ抽出部３、編集部４、及びジョブ生成部５を、主記憶装置２２、又は主記憶装置３３に展開し、制御部２１、又は制御部３２により実行するようにしてもよい。印刷部６は、例えば、画像形成装置３０に対応する。
【００４０】
本実施の形態の印刷システム１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されてコンピュータ・プログラム・プロダクトとして提供される。
【００４１】
また、本実施の形態の印刷システム１で実行されるプログラムを、インターネット等のネットワークに接続されたコンピュータ上に格納し、ネットワーク経由でダウンロードさせることにより提供するように構成してもよい。また、本実施の形態の印刷システム１で実行されるプログラムをインターネット等のネットワーク経由で提供または配布するように構成してもよい。
【００４２】
また、本実施の形態の印刷システム１のプログラムを、ＲＯＭ等に予め組み込んで提供するように構成してもよい。
【００４３】
本実施の形態の印刷システム１で実行されるプログラムは、上述した各機能ブロック（指定部２、印刷データ抽出部３、編集部４、及びジョブ生成部５）を含むモジュール構成となっている。当該各機能ブロックは、実際のハードウェアとしては、制御部２１又は制御部３２が上記記憶媒体からプログラムを読み出して実行することにより、上記各機能ブロックが主記憶装置２２又は主記憶装置３３上にロードされる。すなわち、上記各機能ブロックは、主記憶装置２２、又は主記憶装置３３上に生成される。
【００４４】
なお、上述した各機能ブロック（指定部２、印刷データ抽出部３、編集部４、及びジョブ生成部５）の一部、又は全部を、ソフトウェアにより実現せずに、ＩＣ等のハードウェアにより実現してもよい。
【００４５】
以上のように、本実施の形態の印刷システム、印刷方法及びプログラムによれば、印刷ジョブの一部の印刷データのみを利用することを可能にすることができる。これにより、印刷ジョブの印刷データ１０のサイズを縮小することができ、印刷ジョブのキューイングに使用されるメモリ容量の削減や、印刷ジョブの処理時間を短縮することができる。
【符号の説明】
【００４６】
１  印刷システム
２  指定部
３  印刷データ抽出部
４  編集部
５  ジョブ生成部
６  印刷部
７  抽出部
８  部分抽出部
１０  印刷データ
１１  印刷対象データ
１２  印刷設定
１３  全体印刷設定
１４  部分印刷設定
１５  印刷対象データページリスト（指定データ）
２０  情報処理装置
２１  制御部
２２  主記憶装置
２３  補助記憶装置
２４  表示装置
２５  入力装置
２６  通信Ｉ／Ｆ
２７  バス
３０  画像形成装置
３１  プリンタコントローラ
３２  制御部
３３  主記憶装置
３４  通信Ｉ／Ｆ
３５  補助記憶装置
３６  プリンタエンジンＩ／Ｆ
３７  パネルＩ／Ｆ
３８  バス
３９  プリンタエンジン
４０  操作パネル
５０  ネットワーク
【先行技術文献】
【特許文献】
【００４７】
【特許文献１】特開２０１０−１３７４４９号公報
【図１】
2014085856.tif 000003
【図２】
2014085856.tif 000004
【図３】
2014085856.tif 000005
【図４】
2014085856.tif 000006
【図５】
2014085856.tif 000007
【図６】
2014085856.tif 000008
【図７】
2014085856.tif 000009
【図８】
2014085856.tif 000010